(57)【要約】      （修正有）【課題】印字発行の休止中において、繰出口からプリンタの内方に埃や異物の進入を防止させることができるプリンタを提供する。【解決手段】ハウジングと、このハウジングに印字発行された印字媒体を繰り出す繰出口を形成したプリンタにおいて、ラベル連続体を繰り出すステッピングモータ２２と、繰出口を閉鎖する閉鎖位置と、繰出口を開放する開放位置と、に変移するスライド板１６とを備え、このスライド板１６を弾性部材とした。【選択図】図３
2008254379.tif 000002
【特許請求の範囲】
【請求項１】
ハウジングと、このハウジングに印字発行された印字媒体を繰り出す繰出口を形成したプリンタにおいて、
前記印字媒体を繰り出す移送手段と、
前記繰出口を閉鎖する閉鎖位置と、前記繰出口を開放する開放位置と、に変移する変移手段と、を備え、
前記変移手段は、上下方向に変移するとともに、弾性部材から成ることを特徴とするプリンタ。
【請求項２】
電源スイッチを投入する側に切り換え操作した時に、前記変移手段は、前記繰出口を開放する開放位置に変移するように制御することを特徴とする請求項１記載のプリンタ。
【請求項３】
前記電源スイッチを切断する側に切り換え操作した時に、前記変移手段は、前記繰出口を閉鎖する閉鎖位置に変移するように制御することを特徴とする請求項１記載のプリンタ。
【発明の詳細な説明】
【技術分野】
【０００１】
本発明は、印字媒体に印字するプリンタに関し、とくに、印字された印字媒体を繰出口から繰り出すようにしたプリンタに関する。
【背景技術】
【０００２】
印字媒体に印字するプリンタは、ハウジングを備え、このハウジングの内方に印字媒体を装填する供給部、印字部、制御部などが設けられている。
供給部は、ロール状の印字媒体を回転可能に保持する供給軸が設けられ、引き出された印字媒体は、後述する印字部に繰り出すことができる。
【０００３】
印字部は、例えばプラテンローラと、サーマルヘッド（何れも図示せず）と、が設けられるとともに、サーマルヘッドはプラテンローラに対し接離自在に設けられている。
またプラテンローラは、ステッピングモータ（図示せず）に接続され、ステッピングモータの駆動により、プラテンローラが回転自在に駆動するようにしてある。
【０００４】
供給部から繰り出された印字媒体は、プラテンローラとサーマルヘッドにより挟持して、所定の印字信号によりプラテンローラが駆動するとともに、サーマルヘッドの発熱体を選択的に発熱させて印字媒体に文字やバーコードを印字することができる。
印字発行された印字媒体は、例えばハウジングに形成した繰出口に向けて移送され、繰出口からプリンタの外方へと繰り出すことができる。
【０００５】
しかし、印字発行された印字媒体をプリンタの外方に繰り出す繰出口は、常時、開放状態にあるので、繰出口から埃などがプリンタ内部に蓄積され、誤動作や印字品質の劣化などの問題がある。
また繰出口にカバーを設け、手操作でカバーを開閉するプリンタがあるが、カバーを閉めることに気づかないことがある。
【０００６】
また特許文献１には、記録紙の出口から砂等の異物が入るのを防ぐ、異物の侵入を防ぐ防塵カバーを設けたプリンタ付圧力計が開示されている。
【０００７】
【特許文献１】特開平０８−１５２３７１号公報
【発明の開示】
【発明が解決しようとする課題】
【０００８】
本発明は斯かる問題点を鑑みてなされたものであり、印字発行の休止中において、繰出口からプリンタの内方に埃や異物の進入を防止させることができるプリンタを提供することを課題とする。
また本発明は、繰出口からプリンタの内方に埃や異物の進入を防止することができ、操作性を向上させることができるプリンタを提供することを課題とする。
【課題を解決するための手段】
【０００９】
本発明は、請求項１記載の発明の要旨は、ハウジングと、このハウジングに印字発行された印字媒体を繰り出す繰出口を形成したプリンタにおいて、前記印字媒体を繰り出す移送手段と、前記繰出口を閉鎖する閉鎖位置と、前記繰出口を開放する開放位置と、に変移する変移手段と、を備え、前記変移手段は、上下方向に変移するとともに、弾性部材から成ることを特徴とするプリンタにある。
また請求項２記載の発明の要旨は、電源スイッチを投入する側に切り換え操作した時に、前記変移手段は、前記繰出口を開放する開放位置に変移するように制御することを特徴とする請求項１記載のプリンタにある。
また請求項３記載の発明の要旨は、前記電源スイッチを切断する側に切り換え操作した時に、前記変移手段は、前記繰出口を閉鎖する閉鎖位置に変移するように制御することを特徴とする請求項１記載のプリンタにある。  
【発明の効果】
【００１０】
本発明のプリンタは、印字発行の休止中は、繰出口を閉鎖するスライド板を設けたので、プリンタの内方に埃や異物の進入を防止させることができる。
また、印字発行中には繰出口を開放し、休止中には繰出口を閉鎖することができるようにスライド板を変移することができ操作性が向上する。
【発明を実施するための最良の形態】
【００１１】
本発明の実施の形態を図１および図４に基づいて説明する。
図１は本発明のプリンタの概略外観斜視図であり、図２は本発明のプリンタの構成の一例を示した概略構成図であり、図３は本発明のスライド機構を供給側からの構成図であり、図４は本発明の制御ブロック図である。
【００１２】
プリンタ１は、ハウジング２を備えており、このハウジング２の一部には、開閉可能な開閉カバー２ａを形成することができる。
プリンタは１主として、用紙供給部３と、用紙検出部４、印字部５と、繰出部６、スライド部７、制御部８、とから構成している。
【００１３】
用紙供給部３は、帯状台紙Ｄに所定の間隔で複数仮着されたラベル片Ｌ・・Ｌをロール状にしたラベル連続体Ｐを回転可能に支持する用紙供給軸９を備え、繰り出されたラベル連続体Ｐは案内ローラ１９を介して、後述する印字部５に移送することができるようにしてある。
尚、帯状台紙Ｄにはシリコーンなどの剥離剤を塗布した面を有し、この面に粘着剤を塗布された面を有したラベル片Ｌが向き合わされて重ねて仮着している。
【００１４】
用紙検出部４は、ピッチ検出センサー１０を設けられ、用紙供給部３と印字部５との間のラベル連続体Ｐの移送路の下方に配置されている。
ピッチ検出センサー１０は、帯状台紙Ｄの裏面側に発光部と受光部を配し、帯状台紙Ｄの裏面に印刷等によって形成された図示せぬピッチマーク（黒色の矩形のマーク）を、受光部の受光量に基づいて検出するようにしている。
ピッチ検出センサー１０は、ピッチマークの検出結果を制御部８に供給することができ、制御部８は、この検出結果に基づいて、印字開始位置などの基準信号として制御することができる。
【００１５】
印字部５は、プラテンローラ１１とサーマルヘッド１２とが設けられるとともに、サーマルヘッド１２はプラテンローラ１１に対し接離自在に設けられている。また、プラテンローラ１１は、タイミングベルト（何れも図示せず）を介してステッピングモータ１３に接続され、ステッピングモータ１３の駆動により、プラテンローラ１１が回転自在に駆動するようにしてある。
また、ラベル連続体Ｐは、プラテンローラ１１とサーマルヘッド１２とにより挟持され、制御部８からの印字指令によりプラテンローラ１１が駆動するとともに、サーマルヘッド１２が選択的に発熱体（図示せず）を発熱させることにより、ラベル片Ｌの感熱発色層を発色させて品名、価格、バーコードなど印字することができる。
尚、この実施の形態では、ラベル片Ｌに感熱発色層を設けて印字する感熱発色方式で説明するが、インクを塗布されたインクフィルム（図示せず）のインクを転写して印字する熱転写方式であってもよい。
【００１６】
繰出部６は、繰出口１４を形成している。
繰出口１４は、印字されたラベル連続体Ｐを、プリンタ１内から外方に移送させることができるように、ハウジング２の一部を長形状にカットした開口部を形成してある。
また、ハウジング２の内方であって繰出口１４の下方には、スライド部７を設けてある。
スライド部７は、スライド駆動部１５と、スライド板１６と、を設けることができ、スライド板１６は、繰出口１４に出没可能に上下方向に移動可能に設けることができる。
【００１７】
スライド板１６は、上部と、下部とから構成され、上部には薄板状の弾性部材から構成される軟質プレート１６ａを設けることができる。下部は、薄板状の硬質プレート１６ｂから構成されている。        
軟質プレート１６ａは、ゴム系部材を設けることができ、また硬質プレート１６ｂは、金属プレートなどを設けることができる。
尚、軟質プレート１６ａは、薄板から構成される軟質のプラスチックなどを設けることができる。また硬質プレート１６ｂは、硬質のアルミニュームなどの非金属などを構成することができる。
スライド板１６の軟質プレート１６ａと硬質プレート１６ｂとの固定は、複数のスクリュウーで固定することができる。また、軟質プレート１６ａと硬質プレート１６ｂとの他の固定方法としては粘着剤などで設けることができる。
【００１８】
スライド板１６は、上下方向に移動可能な取付フレーム１８に設けられている。取付フレーム１８の両側には、一対の係合長孔２８，２８が形成され、ベースフレーム２ｂに固着された図示しないガイド部材から一対の支持軸２９，２９が各々係合長孔２８に係合して支持されている。
取付フレーム１８は、後述するスライド駆動部１５の駆動により係合長孔２８，２８に沿って上下方向にスライド移動することができる。
【００１９】
スライド駆動部１５は、回転板２０と、伝達軸２１と、ステッピングモータ２２と、を設けてある。
回転板２０は、立設された取付フレーム１８の面に沿って略平行に、且つ所定の間隔をおいて回転可能に設けてある。回転板２０には、中心から偏心した位置に偏心軸２３が配置され、偏心軸２３は取付フレーム１８側に向けて植立され、取付フレーム１８に形成したガイド長孔２４に係合されている。尚、回転板２０の外周円には、凹凸状に螺刻され後述するウォームギヤ２５が螺合することができる。
伝達軸２６の一方端部には、螺刻された回転板２０の外周円に係合して回転板２０を回転させるウォームギヤ２５と、他方端部には伝達ギア２６が設けられている。
ステッピングモータ２２は、モータギア２７を備え、このモータギア２７に伝達ギア２６が螺合されている。
【００２０】
このように構成したスライド機構１５は、ステッピングモータ２２が駆動するとともに、モータギア２７を介して伝達ギア２６を回転駆動させることができる。伝達ギア２６が回転駆動することにより、伝達軸２１を介してウォームギヤ２５を回転駆動させることができ、ウォームギヤ２５を回転にともなって、回転板２０が回転することができる。
回転板２０が回転することにより、偏心軸２３が最下点から最上点に向けて回転すると共に、偏心軸２３は、取付フレーム１８に形成したガイド長孔２４に係合して、取付フレーム１８を上方に移動させることができる。
【００２１】
回転板２０には、図示しない黒色のマークが設けてあり、偏心軸２３が最上点に達すると図示しないマークセンサーがマークを検知して、ステッピングモータ２２の駆動を停止させることができる。  
偏心軸２３が最上点に達した位置で停止することにより軟質フレーム１６ａが図３の一点鎖線で示した繰出口１４を閉鎖する位置とすることができ、偏心軸２３が最上点に達した位置で停止することにより、埃や異物などをプリンタ１の内方に入り込むのを防止することができる。
【００２２】
次に、ステッピングモータ２２に起動信号が供給されると、回転板２０が回転するとともに、偏心軸２３が最上点から最下点に変位することができる。偏心軸２３が最下点に達すると図示しないマークセンサーが回転板２０に設けたマーク（図示せず）を検知して、ステッピングモータ２２の駆動を停止させることができる。  
偏心軸２３が最下点に達した位置で停止することにより軟質フレーム１６ａが図３の実線で示した繰出口１４を開放する位置とすることができ、印字発行を行うことができ、繰出口１４から印字されたラベル連続体Ｐを繰り出すことができる。
図示しないマークセンサーは、回転板２０に設けた図示しない黒色のマークを検出することができる反射型センサーを設けることができる。
【００２３】
次に、図３に基づいてブロック図について説明する。
制御部８は、図示しないがＣＰＵ、ＲＯＭ、ＲＡＭなどを備え、印字情報を編集してプラテンローラ１１、サーマルヘッド１２を制御してラベルＬに印字するとともに、ラベル連続体Ｐを繰出口１４から排出することができる。
また、ラベル連続体Ｐの図示しない基準マーク（黒色マーク）をピッチ検出センサー１０が検出し、この検出信号に基づいて印字位置を制御することができる。
各種情報を表示するための表示部３０と、用紙送りやオンラインなどの情報を入力するための操作部３１とが制御部８に接続され、操作部３１からの情報を制御部８に供給されるとともに、制御部８からの表示情報を表示部３０に表示されるようにしてある。
制御部８には、電源スイッチ３２を操作することにより、制御部８に信号を供給する電源検出部３３を設けることができる。
電源検出部３３は、図示しないがリレー(継電器)を設けることができる。
【００２４】
次に、プリンタ１の動作について説明する。
電源スイッチ３２を操作して制御部８に電源を供給することにより、リレー(図示せず)が動作して電源検出部３２から制御部８に起動信号が供給される。
起動信号が制御部８に供給されると、制御部８は、ステッピングモータ２２に信号を供給し、ステッピングモータ２２を起動させることができる。
ステッピングモータ２２を駆動させることにより、繰出口１４を閉鎖しているスライド板１６が下方に移動して繰出口１４を開放することができる。
マークセンサー(図示せず)が回転板２０に設けた図示しない黒色のマークを検出すると、ステッピングモータ２２を停止させることができる。
ステッピングモータ２２が停止すると、マークセンサーから制御部８に繰出口１４が開放したことを示す開放信号が供給される。
この開放信号が制御部８に供給されることにより、プラテンローラ１１を駆動させることができ、ラベル連続体Ｐの紙送りあるいは印字発行をすることができる。
【００２５】
印字発行後に、電源スイッチ３２を操作して電源を切断する操作によりタイマーなどにより制御部８に一定時間電圧が供給されるようにするとともに、ステッピングモータ２２に駆動信号を供給してスライド板１６を上昇させることができる。マークセンサー(図示せず)がマークを検出するとステッピングモータ２２が停止して繰出口１４を閉鎖することができる。その後、タイマーがタイムアップしてプリンタ１内の電源を切断することができる。
このように、電源スイッチ３２の操作によりスライド板１６を動作させることができ、印字発行終了後に、繰出口１４を閉鎖することができプリンタ１内に埃や異物などの進入を防ぐことができる。また、印字発行する時には、スライド板１６が下降して繰出口１４を開放した後に、印字発行動作の繰り出しタイミングを開始するようにしたので、適正に印字発行することができる。
【００２６】
この実施の形態では、ステッピングモータによりスライド板を上昇あるいは下降させるようにしたので、スライド板を下降させる時より、上昇させる速さを遅くすることができる。  
【００２７】
この実施の形態では、各構成部材の数、位置、形状等は上記実施の形態に限定されず、本発明を実施するうえで好適な数、位置、形状等にすることができる。本発明が上記各実施の形態に限定されず、本発明の技術思想の範囲内において、実施の形態は適宜変更され得ることは明らかである。
【図面の簡単な説明】
【００２８】
【図１】本発明のプリンタの概略外観斜視図である。
【図２】同上、プリンタの構成の一例を示した概略構成図である。
【図３】同上、スライド板が下方に位置して繰出口を開放した状態のスライド機構を供給側からの構成図である。
【図４】同上、ブロック図である。
【符号の説明】
【００２９】
１      プリンタ
３      用紙供給部
４      用紙検出部
５      印字部
６      繰出部
７      スライド部
８      制御部
１３      ステッピングモータ（移送手段）
１４      繰出口
１５      スライド駆動部
１６      スライド板（変移手段）
１６ａ    軟質プレート
１６ｂ    硬質プレート
１８      取付フレーム
２０      回転板
２２      ステッピングモータ
３２      電源スイッチ
３３      電源検出部
【図１】
2008254379.tif 000003
【図２】
2008254379.tif 000004
【図３】
2008254379.tif 000005
【図４】
2008254379.tif 000006